【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
端末とサーバと画像表示装置とが所定の通信路を介して接続された会議システムであって、
前記端末は、該端末が扱う画像を表す端末画像データを、前記所定の通信路を介して前記サーバに送信する第１の送信手段を備え、
前記サーバは、
前記端末が送信した前記端末画像データを受信する受信手段と、
該受信した端末画像データが表す画像を含む２以上の画像の選択指示を受け付け、該選択指示を受け付けた２以上の画像を合成した合成画像を表示するための合成画像データを生成する画像合成手段と、
前記生成した合成画像データ、または、前記２以上の画像のいずれか１つの画像を表す単独画像データを、表示用データとして、前記所定の通信路を介して前記画像表示装置に送信する第２の送信手段と、
所定の指示を受け付けて、前記送信する表示用データを、前記合成画像データと、前記単独画像データとの間で切り替える切替手段と
を備え、
前記画像表示装置は、前記表示用データを受信して、画像として表示する表示手段を備え、
前記画像合成手段は、前記単独画像データを前記表示手段で表示している間に、前記２以上の画像の選択指示を新たに受け付けて、新たな前記合成画像データを生成可能に構成された
会議システム。
【請求項２】
請求項１記載の会議システムであって、
前記サーバは、更に、前記所定の指示の受け付けと独立して、前記表示用データを前記画像表示装置に送信する指示を受け付ける受付手段を備え、
前記第２の送信手段は、前記受付手段が受け付けた指示に基づいて、前記表示用データを送信する
会議システム。
【請求項３】
請求項１または請求項２のいずれか記載の会議システムであって、
前記サーバは、更に、前記合成手段が前記合成画像データの生成を完了したことを、前記サーバのユーザに通知する手段を備えた
会議システム。
【請求項４】
請求項１ないし請求項３のいずれか記載の会議システムであって、
前記端末は複数台で構成され、
前記受信手段は、前記複数台の端末のうち、少なくとも２台から前記端末画像データをそれぞれ受信し、
前記２以上の画像は、前記少なくとも２台から受信した端末画像データの各々が表す画像を含む
会議システム。
【請求項５】
前記２以上の画像は、前記サーバが備える表示画面に全体的に表示された画像を含む請求項１ないし請求項４のいずれか記載の会議システム。
【請求項６】
前記端末が扱う画像は、前記端末が備える表示画面に表示された画像である請求項１ないし請求項５のいずれか記載の会議システム。
【請求項７】
所定の通信路を介して、端末が扱う画像を画像表示装置に表示させるサーバであって、
前記端末が扱う画像を表す端末画像データを、前記端末から前記所定の通信路を介して受信する受信手段と、
該受信した端末画像データが表す画像を含む２以上の画像の選択指示を受け付け、該選択指示を受け付けた２以上の画像を合成した合成画像を表示するための合成画像データを生成する画像合成手段と、
前記生成した合成画像データ、または、前記２以上の画像のいずれか１つの画像を表す単独画像データを、表示用データとして、前記所定の通信路を介して前記画像表示装置に送信する送信手段と、
所定の指示を受け付けて、前記送信する表示用データを、前記合成画像データと、前記単独画像データとの間で切り替える切替手段と
を備え、
前記画像合成手段は、前記単独画像データを前記画像表示装置で表示している間に、前記２以上の画像の選択指示を新たに受け付けて、新たな前記合成画像データを生成可能に構成された
サーバ。
【請求項８】
所定の通信路を介して、端末が扱う画像を画像表示装置に表示させるサーバによる画像表示方法であって、
前記端末が扱う画像を表す端末画像データを、前記端末から前記所定の通信路を介して受信し、
該受信した端末画像データが表す画像を含む２以上の画像の選択指示を受け付け、該選択指示を受け付けた２以上の画像を合成した合成画像を表示するための合成画像データを生成し、
前記生成した合成画像データを、表示用データとして、前記所定の通信路を介して前記画像表示装置に送信し、前記画像表示装置に画像として表示させ、
所定の指示を受け付けて、前記送信する表示用データを、前記合成画像データから、前記２以上の画像のいずれか１つの画像を表す単独画像データに切り替えて、該単独画像データが表す画像を前記画像表示装置に表示させ、
前記画像表示装置で前記単独画像データが表す画像が表示されている間に、前記２以上の画像の選択指示を新たに受け付けて、新たな前記合成画像データを生成し、
前記新たな合成画像データが生成された後に、前記所定の指示を受け付けて、前記送信する表示用データを、前記単独画像データから、前記新たな合成画像データに切り替えて、該新たな合成画像データが表す画像を前記画像表示装置に表示させる
画像表示方法。
【請求項９】
所定の通信路を介して、端末が扱う画像を画像表示装置に表示させるためのコンピュータプログラムであって、
前記端末が扱う画像を表す端末画像データを、前記端末から前記所定の通信路を介して受信する受信機能と、
該受信した端末画像データが表す画像を含む２以上の画像の選択指示を受け付け、該選択指示を受け付けた２以上の画像を合成した合成画像を表示するための合成画像データを生成する画像合成機能と、
前記生成した合成画像データ、または、前記２以上の画像のいずれか１つの画像を表す単独画像データを、表示用データとして、前記所定の通信路を介して前記画像表示装置に送信する送信機能と
をコンピュータに実現させ、
前記画像合成機能は、前記単独画像データを前記画像表示装置で表示している間に、前記２以上の画像の選択指示を新たに受け付けて、新たな前記合成画像データを生成可能に構成されたプログラム。
【請求項１０】
請求項９記載のコンピュータプログラムを記録したコンピュータ読み取り可能な記録媒体。
【手続補正２】
【補正対象書類名】明細書
【補正対象項目名】０００７
【補正方法】変更
【補正の内容】
【０００７】
本発明は、上述の課題の少なくとも一部を解決するためになされたものであり、以下の形態又は適用例として実現することが可能である。
端末とサーバと画像表示装置とが所定の通信路を介して接続された会議システムであって、
前記端末は、該端末が扱う画像を表す端末画像データを、前記所定の通信路を介して前記サーバに送信する第１の送信手段を備え、
前記サーバは、
前記端末が送信した前記端末画像データを受信する受信手段と、
該受信した端末画像データが表す画像を含む２以上の画像の選択指示を受け付け、該選択指示を受け付けた２以上の画像を合成した合成画像を表示するための合成画像データを生成する画像合成手段と、
前記生成した合成画像データ、または、前記２以上の画像のいずれか１つの画像を表す単独画像データを、表示用データとして、前記所定の通信路を介して前記画像表示装置に送信する第２の送信手段と、
所定の指示を受け付けて、前記送信する表示用データを、前記合成画像データと、前記単独画像データとの間で切り替える切替手段と
を備え、
前記画像表示装置は、前記表示用データを受信して、画像として表示する表示手段を備え、
前記画像合成手段は、前記単独画像データを前記表示手段で表示している間に、前記２以上の画像の選択指示を新たに受け付けて、新たな前記合成画像データを生成可能に構成された
会議システム。